(57)【要約】【課題】サウナ装置に力がかからずに排水管とサウナ装置を容易に着脱することができ、施工性およびメンテナンス性の良好なサウナ装置を提供することを目的としている。【解決手段】本体内で水を噴霧して高湿空気を作るサウナ装置１であって、浴室内に吹き出されることなく本体内に残水として残った水を排水する排水口５を設け、この排水口５に機外排水管７と着脱を自在とした排水継手６を設けたものであり、機外排水管７との着脱が容易に行えるサウナ装置１が得られる。【選択図】図１
2010158552.tif 000002
【特許請求の範囲】
【請求項１】
本体内で水を噴霧して高湿空気を作るサウナ装置であって、本体内の残水を排水する排水口を設け、前記排水口に機外排水管と着脱を自在とした排水継手を設けたことを特徴とするサウナ装置。
【請求項２】
排水継手を回動自在としたことを特徴とする請求項１記載のサウナ装置。
【請求項３】
排水継手の外周部に対向する平面を設けたことを特徴とする請求項１記載のサウナ装置。
【請求項４】
排水継手に注水口を設けたことを特徴とする請求項１記載のサウナ装置。
【請求項５】
注水口を塞ぐ栓を設けたことを特徴とする請求項４記載のサウナ装置。
【請求項６】
栓の注水口を塞ぐ嵌合部をねじ形状にするとともに、Ｏリングを設けたことを特徴とする請求項５記載のサウナ装置。
【請求項７】
栓の注水口から突出している突出部を保持手段としたことを特徴とする請求項５記載のサウナ装置。
【請求項８】
排水継手と排水口の間に第２排水継手を配置したことを特徴とする請求項１記載のサウナ装置。
【請求項９】
第２排水継手は排水温度を検出する排水温度センサを設けられる構造であるとともに、熱伝導性の高い材質で形成されることを特徴とする請求項８記載のサウナ装置。
【発明の詳細な説明】
【技術分野】
【０００１】
本発明は、浴室内を高温高湿なサウナ空間にするサウナ装置に関する。
【背景技術】
【０００２】
従来、この種のサウナ装置は、排水管を接続しており、装置内に残った加湿用の水または温水を排水管へ排水する構成としたものが知られている（例えば、特許文献１参照）。
【０００３】
以下、そのサウナ装置について図４を参照しながら説明する。
【０００４】
図に示すように、浴室１１０の天井面上部に、加湿手段１０１と加熱手段１０２を備え、浴室１１０の側面には熱源である給湯器１０３が設置され、加湿手段１０１と給湯器１０３は加湿用１次温水循環回路１０４で連結され、給湯器１０３から８０度の温水が加湿手段１０１に送水され、熱交換した後加湿手段１０１より加湿用１次温水循環回路１０４を通じて給湯器１０３に戻り給湯器１０３で再び加熱され加湿手段１０１に送水される。一方加熱手段１０２と給湯器１０３は加熱用１次温水循環回路１０５で連結され、給湯器１０３から８０度の温水が加熱手段１０２に送水され、熱交換した後加熱手段１０２より加熱用１次温水循環回路１０５を通じて給湯器１０３に戻り給湯器１０３で再び加熱され加熱手段１０２に送水される。さらに、加湿手段１０１には加湿手段外郭１０９に市水を通水し供給する給水管１０７が接続されており、この水が加湿に用いられ、加湿残水を排出する排水管１０８が接続されている。
【先行技術文献】
【特許文献】
【０００５】
【特許文献１】特開２００５−１５２１９９号公報
【発明の概要】
【発明が解決しようとする課題】
【０００６】
このような従来のサウナ装置では、塩ビパイプ製の排水管がこの排水管の排水先である一端が下りとなるように勾配を設けて直接接続されているが、メンテナンスにおいては浴室天井よりサウナ装置を取り外すため、排水管との接続を外すこととなる。排水管は建物躯体に固定されているので着脱が困難であるため、着脱時にサウナ装置に力がかかりサウナ装置が破損することがあるという課題があり、サウナ装置に力がかからずに容易に着脱することができ、施工性およびメンテナンス性を向上させることが要求されている。
【０００７】
本発明は、このような従来の課題を解決するものであり、サウナ装置に力がかからずにサウナ装置を容易に着脱することができ、施工性およびメンテナンス性の良好なサウナ装置を提供することを目的としている。
【課題を解決するための手段】
【０００８】
本発明のサウナ装置は上記目的を達成するために、本体内の残水を排水する排水口を設け、前記排水口に機外排水管と着脱を自在とした排水継手を設けたものである。
【０００９】
この手段により、機外排水管との着脱が容易に行えるサウナ装置が得られる。
【００１０】
また、他の手段は、排水継手を回動自在としたものである。
【００１１】
この手段により、排水継手を排水口に接続する際に、排水口にかかる力が軽減されるサウナ装置が得られる。
【００１２】
また、他の手段は、排水継手の外周部に対向する平面を設けたものである。
【００１３】
この手段により、外周部に設けた平面をプライヤー、モンキーなどの工具ではさむことができ、排水継手がしっかり固定されることで、機外排水管との着脱作業を容易に行えるサウナ装置が得られる。
【００１４】
また、他の手段は、排水継手に注水口を設けたものである。
【００１５】
この手段により、注水口から水を入れることができ、施工後の排水管の勾配状況などを注水することで確認できるサウナ装置が得られる。
【００１６】
また、他の手段は、注水口を塞ぐ栓を設けたものである。
【００１７】
この手段により、使用時に注水口からの水漏れを防ぐことができるサウナ装置が得られる。
【００１８】
また、他の手段は、栓の注水口を塞ぐ嵌合部をねじ形状にするとともに、Ｏリングを設けたものである。
【００１９】
この手段により、注水口からの水漏れをより確実に防ぐことができるサウナ装置が得られる。
【００２０】
また、他の手段は、栓の注水口から突出している突出部を保持手段としたものである。
【００２１】
この手段により、工具を用いることなく、手動で栓の開閉をすることができるサウナ装置が得られる。
【００２２】
また、他の手段は、排水継手と排水口の間に第２排水継手を配置したものである。
【００２３】
この手段により、サウナ装置と機外排水管の接続施工前に、排水口に第２排水継手を取り付けておくことで、接続施工時は排水継手と第２排水継手が接続されることとなり、接続施工にともなう破損を軽減することができるサウナ装置が得られる。
【００２４】
また、他の手段は、第２排水継手は排水温度を検出する排水温度センサを設けられる構造であるとともに、熱伝導性の高い材質で形成されたものである。
【００２５】
この手段により、排水温度を確実に検知できるとともに、排水温度センサを取り外すことなくドレンパンを外すことができ、また、サウナ装置における第２排水継手以外の他の部分を熱伝導性の低い材質で形成することができるため、他の部分を樹脂などの安い材質にすることができるサウナ装置が得られる。
【発明の効果】
【００２６】
本発明によれば、排水管とサウナ装置を容易に着脱することができ、施工性およびメンテナンス性が良好になるという効果のあるサウナ装置を提供できる。
【００２７】
また、サウナ装置に力がかからずに排水管とサウナ装置を容易に着脱することができるという効果のあるサウナ装置を提供できる。
【００２８】
また、外周部に設けた平面部をプライヤー、モンキーなどの工具ではさむことができ、排水継手がしっかり固定されることで、機外排水管との着脱作業を容易に行えるという効果のあるサウナ装置を提供できる。
【００２９】
また、施工後の排水管の勾配状況などを注水することで確認できるという効果のあるサウナ装置を提供できる。
【００３０】
また、使用時に注水口からの水漏れを防ぐという効果のあるサウナ装置を提供できる。
【００３１】
また、注水口からの水漏れをより確実に防ぐという効果のあるサウナ装置を提供できる。
【００３２】
また、工具を用いることなく、手動で栓の開閉をすることができるという効果のあるサウナ装置を提供できる。
【００３３】
また、接続施工にともなう破損を軽減することができるという効果のあるサウナ装置を提供できる。
【００３４】
また、排水温度を確実に検知できるとともに、排水温度センサを取り外すことなくドレンパンを外すことができ、また、サウナ装置における第２排水継手以外の他の部分を熱伝導性の低い材質で形成することができるため、他の部分を樹脂などの安い材質にすることができるという効果のあるサウナ装置を提供できる。
【図面の簡単な説明】
【００３５】
【図１】本発明の実施の形態１のサウナ装置の構成および設置状況を示す構成図
【図２】同実施の形態２の排水継手周辺の構造図
【図３】同実施の形態３の排水継手および栓の断面図
【図４】従来のサウナ装置の構成図
【発明を実施するための形態】
【００３６】
本発明の請求項１記載のサウナ装置は、本体内で水を噴霧して高湿空気を作るサウナ装置であって、本体内の残水を排水する排水口を設け、前記排水口に機外排水管と着脱を自在とした排水継手を設けたものであり、サウナ装置と機外排水管との着脱が容易となるという作用を有する。
【００３７】
また、請求項２記載の発明は、排水継手を回動自在としたものであり、排水継手を排水口に接続する際に、排水口にかかる力を軽減するという作用を有する。
【００３８】
また、請求項３記載の発明は、排水継手の外周部に対向する平面を設けたものであり、外周部に設けた平面部をプライヤー、モンキーなどの工具ではさむことができ、排水継手がしっかり固定されることで、機外排水管との着脱作業を容易にするという作用を有する。
【００３９】
また、請求項４記載の発明は、排水継手に注水口を設けたものであり、注水口から水を入れることができ、サウナ装置を運転することなく、排水管の勾配状況が確認できるという作用を有する。
【００４０】
また、請求項５記載の発明は、注水口を塞ぐ栓を設けたものであり、注水口からの水漏れを防ぐことができるという作用を有する。
【００４１】
また、請求項６記載の発明は、栓の注水口を塞ぐ嵌合部をねじ形状にするとともに、Ｏリングを設けたものであり、ねじ形状により栓が注水口に確実に締まり、またＯリングによりねじ形状部分からの水漏れを防ぐことができるという作用を有する。
【００４２】
また、請求項７記載の発明は、栓の注水口から突出している突出部を保持手段としたものであり、工具を用いることなく、手動で栓の開閉をすることができるという作用を有する。
【００４３】
また、請求項８記載の発明は、排水継手と排水口の間に第２排水継手を配置したものであり、サウナ装置と機外排水管の接続施工前に、排水口に第２排水継手を取り付けておくことで、接続施工時は排水継手と第２排水継手が接続されることとなり、接続施工にともなう破損を軽減することができるという作用を有する。
【００４４】
また、請求項９記載の発明は、第２排水継手は排水温度を検出する排水温度センサを設けられる構造であるとともに、熱伝導性の高い材質で形成されるものであり、排水温度を確実に検知できるとともに、排水温度センサを取り外すことなくドレンパンを外すことができ、また、サウナ装置における第２排水継手以外の他の部分を熱伝導性の低い材質で形成することができるため、他の部分を樹脂などの安い材質にすることができるという作用を有する。
【００４５】
以下、本発明の実施の形態について、図面を参照しながら説明する。
【００４６】
（実施の形態１）
図１に示すように、サウナ装置１は浴室天井裏２に設置されている。サウナ装置１は本体内で水を噴霧して高湿空気を生成し、浴室３に吹き出すことで加湿している。このとき浴室３に吹き出されることなく、水滴となり本体内に残水したものはドレンパン４に貯水され、排水口５より機外に排水される。排水口５は着脱自在であるとともに回動自在な構造である排水継手６を介し、機外排水管７に接続されており、排水口５より排出された排水は機外排水管７を通り排水される。
【００４７】
上記構成により、サウナ装置１の設置施工時における機外排水管７との接続作業は、先に排水継手６を機外排水管７に取り付けてから、排水口５に接続するなど作業手順を適宜選択できるため容易に行うことができる。また、サウナ装置１のメンテナンスを実施する際には、機外排水管７との接続を外して、サウナ装置１を浴室天井裏２より取り出して行うが、着脱自在な排水継手６を介して機外排水管７と接続しているため、取り外し自在でありメンテナンス作業が容易に行える。また、上記作業におけるサウナ装置１と機外排水管７との着脱作業において、排水継手６が回動自在な構造であることから、排水口５にかかる力を軽減することができ、排水口５の破損を軽減することができる。
【００４８】
（実施の形態２）
図２において、実施の形態１と同じ構成要素については同じ符号を用い、説明を省略する。
【００４９】
図２に示すように、排水継手６は外周に対向する平面８を有し、注水口９を備えている。
【００５０】
対向する平面８により構成されている排水継手６の外周部形状は、四角柱、六角柱などの偶数の側面を有する多角柱となる。排水継手６の一端の外形はねじ形状であり、他の一端の外形は接合部Ｏリング１６を備えた円筒状である（図３参照）。また、注水口９を塞ぐ栓１０を備えている。
【００５１】
排水口５には、着脱自在であるとともに回動自在である第２排水継手１１が取り付けられており、第２排水継手１１を介し排水継手６と接続することで、排水口５から機外排水管７に至る排水経路が形成される。排水継手６の接合部Ｏリング１６を備えた円筒状の一端を第２排水継手１１に挿し込み、クリップ１２により固定して接続するため、着脱自在かつ回動自在となる。排水継手６が回動自在な構造であることから、排水口５にかかる力を軽減することができ、排水口５の破損を軽減することができる。
【００５２】
また、第２排水継手１１には、排水温度を検知する排水温度センサが取り付けることができ（図示省略）、熱伝導性の高い材質で形成されている。排水継手６および第２排水継手１１は金属製であり、サウナ装置１の外郭の一部である排水口５は樹脂製である。
【００５３】
なお、排水継手６の両端の外形を接合部Ｏリング１６を備えた円筒状としてもかまわない。
【００５４】
なお、第２排水継手１１に注水口９を設けてもよい。
【００５５】
上記構成により、サウナ装置１と機外排水管７の着脱作業において、平面８をモンキーなどの工具で挟んで保持し機外排水管７に回しいれたり、プライヤーなどの工具で挟んで保持し第２排水継手１１に挿し込んだりすることが確実にでき、着脱作業を容易に行うことができる。また、注水口９から水を入れることで、サウナ装置１を運転することなく、排水口５から第２排水継手１１および排水継手６を介し機外排水管７に至る排水経路の設置勾配状況および接続状況が確認できる。また、栓１０で注水口９を塞ぐことにより、注水口９からの排水漏れを防ぐことができる。
【００５６】
排水管接続工事において、接続部の自由度がなくなるために最も力がかかる最後に接続する部分を排水継手６と第２排水継手１１との接続部とすることで、両排水継手は金属製であるため、排水口５が樹脂部材であるときなど、排水口５に直接排水継手６を接続する場合に比較して、施工時の部材破損が軽減される。また、第２排水継手１１が金属製などの熱伝導性が高い材質で形成されているため、第２排水継手１１の内部を流れる排水の温度が第２排水継手１１に伝わりやすい。このため、第２排水継手１１に排水温度センサを設けると排水温度を確実に検知することができる。これにより第２排水継手１１以外のサウナ装置１の部分を熱伝導性の低い部材とすることができる。よって、樹脂などの熱伝導性は低いが安価である部材をサウナ装置１に使用することができ、サウナ装置１を安価で製造することができる。
【００５７】
また、排水温度センサを第２排水継手１１に設けると、ドレンパン４（図１参照）には排水温度センサを設ける必要がないため、ドレンパン４と排水温度センサは分離されて配置されることになり、排水温度センサを取り外すことなくドレンパン４だけを外すことにより、内部点検をおこなうこともできる。
【００５８】
なお、排水継手６および第２排水継手１１を金属製としたが、配水管接続工事時にかかる力に耐えうる強度を有し、金属と同等の熱伝導性を有する材質であればどんな材質でもよい。
【００５９】
（実施の形態３）
図３において、実施の形態２と同じ構成要素については同じ符号を用い、説明を省略する。
【００６０】
図３に示すように、栓１０において、注水口９を塞ぐ嵌合部１３をねじ形状にして、注水口９より突出した突出部１４をローレット状のような工具を使用せずに指でつまみ栓１０を回すのに容易な保持手段とするとともに、Ｏリング１５を備えた構成とした。
【００６１】
上記構成により、栓１０が確実に注水口９に嵌り締まるようになり、また、Ｏリング１５が栓１０のねじ形状とした嵌合部１３からの水漏れを防ぐことにより、確実に注水口９からの水漏れを防ぐことができる。また、栓１０のローレット状の突出部１４を指でつまみ回すことで、工具なしで栓１０の開閉をすることができる。
【００６２】
なお、突出部１４をローレット状としたが、四角柱や突出部１４の先端を水平方向に曲げＬ字形状にするなどのように、指でつまみ栓１０を回すのに容易な保持手段であればどんな形状でもよい。
【産業上の利用可能性】
【００６３】
排水管接続工事をともない、機外に排水する機能を要する機器を対象に適用することができる。
【符号の説明】
【００６４】
１    サウナ装置
５    排水口
６    排水継手
８    平面
９    注水口
１０  栓
１１  第２排水継手
１３  嵌合部
１４  突出部
１５  Ｏリング
【図１】
2010158552.tif 000003
【図２】
2010158552.tif 000004
【図３】
2010158552.tif 000005
【図４】
2010158552.tif 000006